(57)【特許請求の範囲】
【請求項１】
長手方向への所定長さを有する係合板と、
前記係合板と長手方向への所定長さをほぼ同じくする被係合板と、
前記係合板の長手方向と前記被係合板の長手方向により形成される角度が略直角となるように、前記係合板と前記被係合板とを配置し、
係合板の先端付近には係合部が、被係合板の先端付近には前記係合部を回動自在に受ける被係合部が形成され、
前記係合板及び前記被係合板には、上板及び下板に取り付けるための取付部が、その裏面側に突出して形成されていることを特徴とするレーダーレフレクター用反射板。
【請求項２】
前記係合部は、前記係合板の先端付近から、その裏面側へ突出し、
前記被係合部は、前記被係合板の先端付近から、その裏面側に向けて円弧上に突出していることを特徴とする請求項１に記載のレーダーレフレクター用反射板。
【請求項３】
前記被係合板の先端は、その裏面側に向けて湾曲し、その裏面側に向けて円弧上に突出する前記被係合部の一部となり、
前記係合板の先端は、その裏面側に向けて湾曲し、複数のレーダーレフレクター用反射板を組み合わせて係合させたときに、前記被係合板の湾曲に沿ってその外側を覆うように形成されていることを特徴とする請求項２に記載のレーダーレフレクター用反射板。
【請求項４】
請求項１ないし３に記載のレーダーレフレクター用反射板を複数個、組み合わせて係合し、上板、下板を取り付けたことを特徴とするレーダーレフレクター。
【発明の詳細な説明】
【技術分野】
【０００１】
本発明は、航路標識用灯浮標において、各船舶から送られるレーダー電波を反射するレーダーレフレクター用の反射板、及びこの反射板を備えたレーダーレフレクターに関する。
【背景技術】
【０００２】
従来のレーダーレフレクターは、フィルム板をいったん二つ折りにし、その二つ折りにしたフィルム板を溶融して接着していた。
（例えば特許文献１参照）。
また、そのレーダーレフレクターを複数、組み合わせるものも存在した。
（例えば特許文献２参照）
【０００３】
その他、従来のレーダーレフレクター１０１を図９に沿って説明する。
上述したように、平板状の反射板を二つ折りにした２つの反射板を溶接した後に、上板、下板に溶接する製造方法の他に、平板状の反射板１０２の中央に切れ目を入れ、その切れ目により２つの反射板１０２、１０２を組み合わせ、上板１０３と下板１０４とを溶接して接合するものがあった。また、このレーダーレクレクター１０１ではレーダーの反射方向が四方向となるが、これよりも反射方向を多く設定する場合、上板１０３と下板１０４に溶接した２つのレーダーレフレクター１０１、１０１を二段になるようにし、一方のレーダーレフレクター１０１ともう一方のレーダーレフレクター１０１の反射方向を変えて取り付けていた。この場合には、二段のレーダーレフレクター１０１、１０１の積み上げにより高さが高くなり、簡易な方法で反射方向を多くすることができなかった。そのため、簡易な方法で反射方向を多くすることができるレーダーレフレクター用反射板及びその反射板を備えたレーダーレフレクターが望まれていた。
【０００４】
また、反射板１０２を上板１０３、下板１０４へ溶接によって取り付けていたので、製品の精度は溶接技術者の熟練作業に大きく依存することになる。一方、図示はしないが、反射板１０２から突出した突出片を上板１０３、下板１０４の通し孔から突出させてから折曲する方法で固定するものがあった。このような固定方法ではなく、簡易な方法で接合することができるレーダーレフレクター用反射板及びこの反射板を備えたレーダーレフレクターが望まれていた。
【先行技術文献】
【特許文献】
【０００５】
【特許文献１】特開２０００−５３０９７号公報
【特許文献２】特開平９−２２１０９７号公報
【発明の概要】
【発明が解決しようとする課題】
【０００６】
そこで、本発明が解決しようとする課題は、簡単に反射方向の数を可変でき、簡易な方法で固定することができるレーダーレフレクター用反射板及びこの反射板を備えたレーダーレフレクターを提供することにある。
【課題を解決するための手段】
【０００７】
そこで、本発明のレーダーレフレクター用反射板は、長手方向への所定長さを有する係合板と、前記係合板と長手方向への所定長さをほぼ同じくする被係合板と、前記係合板の長手方向と前記被係合板の長手方向により形成される角度が略直角となるように、前記係合板と前記被係合板とを配置し、係合板の先端付近には係合部が、被係合板の先端付近には前記係合部を回動自在に受ける被係合部が形成され、前記係合板及び前記被係合板には、上板及び下板に取り付けるための取付部が、その裏面側に突出して形成されていることを特徴とする。
【０００８】
また、前記係合部は、前記係合板の先端付近から、その裏面側へ突出し、前記被係合部は、前記被係合板の先端付近から、その裏面側に向けて円弧状に突出していることが好ましい。
【０００９】
また、前記被係合板の先端は、その裏面側に向けて湾曲し、その裏面側に向けて円弧状に突出する前記被係合部の一部となり、前記係合板の先端は、その裏面側に向けて湾曲し、複数のレーダーレフレクター用反射板を組み合わせて係合させたときに、前記被係合板の湾曲に沿ってその外側を覆うように形成されていることが好ましい。
【００１０】
また、請求項１ないし３に記載のレーダーレフレクター用反射板を複数個、組み合わせて係合し、上板、下板を取り付けて、レーザーレフレクターとすることができる。
【発明の効果】
【００１１】
請求項１に記載の発明により、１つのレーダーレフレクター用反射板の係合部にもう１つのレーダーレフレクター用反射板の被係合部を順次組み合わせて、係合することで、簡単な施工方法で、少なくとも４ないし６方向の多方向に反射方向を変えることができる。
また、上板、下板に容易に取り付けることができる。従来のレーダーレフレクターは単なるアルミ板を溶接固定していただけであるが、本発明のレーダーレフレクター用反射板を用いることにより、複数のレーダーレフレクター用反射板を組み合わしたときに、各レーダーレフレクター用反射板の裏面側にスペースが生じ、ここに取付部を配置することが可能になる。これにより、取付部にビス留めなどにより上板、下板を簡易な方法で取り付けることができる。
【００１２】
請求項２に記載の発明により、係合部と被係合部がレーダーレフレクター用反射板の裏面にあることで、組み合わせたときに表面から組み合わせ状態が見えず、意匠上、優れたレーダーレフレクターとすることができる。
【００１３】
請求項３に記載の発明により、レーダーレフレクター用反射板を組み合わせて係合させたときに、係合部と被係合部とを係合させた部分が突出するようになるが、湾曲部分によりこの突出した部分が丸みを帯びた形状となり、意匠上優れているのみならず、施工者が安全に施工できる形状となる。
【００１４】
請求項４に記載の発明により、簡易な方法で多方向の反射方向を得ることができ、上板、下板への取り付けも容易で、外観上優れたレーダーレフレクターを提供することが出来る。
【図面の簡単な説明】
【００１５】
【図１】本発明のレーザーレフレクター用反射板の一例を示す斜視図である。
【図２】本発明のレーザーレフレクター用反射板の一例を示す拡大平面図である。
【図３】１つのレーザーレフレクター用反射板と、もう１つのレーザーレフレクター用反射板とを、係合させる状態の一例を示す斜視図である。
【図４】組み合わせたレーザーレフレクター用反射板に下板を取り付けた上で、上板を取り付ける状態の一例を示す斜視図である。
【図５】（ａ）はレーザーレフレクター用反射板を４つ組み合わせた状態を示し、（ｂ）は、（ａ）の一点鎖線で示す部分を拡大した平面図である。
【図６】（ａ）はレーザーレフレクター用反射板を５つ組み合わせた状態を示し、（ｂ）は、（ａ）の一点鎖線で示す部分を拡大した平面図である。
【図７】（ａ）はレーザーレフレクター用反射板を６つ組み合わせた状態を示し、（ｂ）は、（ａ）の一点鎖線で示す部分を拡大した平面図である。
【図８】本発明の係合部の第二実施例を示す拡大平面図である。
【図９】従来のレーザーレフレクターの一例を示す斜視図である。
【発明を実施するための形態】
【００１６】
本発明の実施の一例を図面に沿って説明する。
図１に示すレーダーレフレクター用反射板１は、長手方向に延設された係合板１１と被係合板３１とからなる。係合板１１と被係合板３１は、一枚の板状材を、折曲部分２１を境目として直角に折曲したものである。そのため、係合板１１と被係合板３１の折曲角度θ１は直角となっている。図１におけるレーダーレフレクター用反射板１は、係合板１１の表面１３、被係合板３１の表面３３が手前側となるように示されている。
【００１７】
ここで、係合板１１の長手方向とは折曲部分２１から係合板１１の先端に形成される湾曲部分１９への方向をいい、被係合板３１の長手方向とは折曲部分２１から被係合板の先端に形成される第一湾曲部分３９への方向をいう。
【００１８】
本実施例では一枚の板状材を折曲して、係合板１１と被係合板３１としているが、他の実施例として各々別個の係合板１１と被係合板３１とが直角となるような状態で溶接等により接合して形成するものであっても良い。
【００１９】
本実施例における係合板１１と被係合板３１は、アルミニウム合金からなるものであるが、レーダー電波に対して応答性のある材質であればポリプロピレン板にポリエステルをアルミ蒸着させたものやその他のものであっても良い。
【００２０】
図１、図２に示すように、係合板１１は折曲部分２１から先端にある湾曲部分１９までを長手方向とする平板状のものである。係合板１１の先端付近には、係合板１１の裏面１４から突出する係合部１５が形成されている。
【００２１】
係合部１５は、係合板１１の裏面１４から長手方向と直行する方向へ突出して平面Ｔ字状になるように延長したものである。この係合部１５は、係合板１１の高さ方向に連続して形成される。
【００２２】
係合部１５の形状は本実施例にある平面Ｔ字状に限定されない。図８に示すように、係合板１１の裏面１４から長手方向と直行する方向へ突出させた後に平面円形状とする等、その他の形状であっても良い。ただし、後述のように、レーダーレフレクター用反射板１を複数組み合わせた場合、係合部１５が被係合部３５と係合した部分を基点として、一つのレーダーレフレクター用反射板１に対してもう一つのレーダーレフレクター用反射板１を回動させ得るように、この回動基点となる係合部１５を形成する必要がある。
【００２３】
図１、２に示すように、係合板１１には取付部１７が形成されている。取付部１７はビス固定をするためのネジ孔であり、係合板１１の折曲部分２１に近い位置で裏面１４側へ突出するように形成されている。なお、取付部１７は、必ずしもビス固定用のネジ孔である必要はなく、上板２２、下板２３を取り付けるための部材であれば良い。
【００２４】
また、係合板１１には裏面１４側に行くにしたがって先端を広くした凸形状の係止片１８が形成されている。この係止片１８は、図５に示す四面の使用例の場合において、被係合板３１の凹形状の被係止片３８と嵌り合って、係合板１１と被係合板３１とを係止することができる。
【００２５】
係合板１１の先端には、裏面１４の方向へ湾曲する湾曲部分１９が形成されている。この湾曲部分１９は、被係合板３１と係合させた場合において、被係合板３１の被係合部３５の一部となる湾曲部分３９の湾曲に沿って、その外側を覆うように形成されている。
【００２６】
図１、図２に示すように、被係合板３１は、係合板１１と同じく、折曲部分２１から先端にある第一湾曲部分３９までを長手方向とする平板状のものである。被係合板３１の先端の付近には、被係合板３１の裏面３４から突出する被係合部３５が形成されている。
【００２７】
被係合部３５は、被係合板３１の先端を裏面３４側へ平面円形に湾曲させつつ一部を切り欠いたような形状である。この先端から湾曲して切り欠き部分４０までを第一湾曲部分３９とし、切り欠いた部分から被係合板３１の裏面３４までの湾曲部分を第二湾曲部分４１とする。この第一湾曲部３９、切り欠き部分４０、第二湾曲部分４１に囲まれる平面円形の空洞部分を係合部分４２とする。
【００２８】
また、被係合部３５は、係合部１５と同じく、被係合板３１の高さ方向にかけて連続して形成されている。
【００２９】
被係合部３５の形状は本実施例にある一部を切り欠いた平面円弧状の形態に限定されず、その他の形態であっても良い。レーダーレフレクター用反射板１を複数組合わせた場合、係合部１５と係合し、かつ、その係合下部分を基点として、一つのレーダーレフレクター用反射板１に対してもう一つのレーダーレフレクター用反射板１を回動させ得るものであればよい。
【００３０】
係合板１１と同じく、被係合板３１に取付部３７が形成されている。取付部３７はビス固定をするためのネジ孔であり、係合板１１の折曲部分２１に近い位置から裏面１４側へ突出するように形成されている。
【００３１】
また、被係合板３１には、被係止片３８が裏面３４側に突出しており、この被係止片３８は高さ方向に連続して形成されている。この被係止片３８は、先端を広くした前記凸形状の係止片１８と嵌り合うように末端を狭くした平面凹形状の形態である。図５に示す反射方向を四面とする使用例の場合において、係合板１１の係止片１８と嵌り合って、係合板１１と被係合板３１とを係止することができる。
【００３２】
次に複数のレーダーレフレクター用反射板１、１を組み合わせ状態について説明する。図３、図４に示す組み合わせは、本発明の実施の一例であるレーダーレフレクターの反射方向を４面とする場合のものである。
【００３３】
図３に示すように、本発明は、複数のレーダーレフレクター用反射板１、１を組み合わせる。２つのレーダーレフレクター用反射板１、１の組み合わせは、１つのレーダーレフレクター用反射板１の係合板１１の裏面１４にもう１つのレーダーレフレクター用反射板１の被係合板３１の裏面３４を重ねて取り付ける。
【００３４】
この組み合わせは、１つのレーダーレフレクター用反射板１における係合板１１の係合部１５を、もう１つのレーダーレフレクター用反射板１における被係合板３１の被係合部３５に係合させながら、１つのレーダーレフレクター用反射板１をもう１つのレーダーレフレクター用反射板１の上方からスライドさせることにより取り付けることができる（図３の矢印線Ａ）。
【００３５】
この係合部１５と被係合部３５との係合を具体的に説明すると、被係合部３５は第一湾曲部分３９、切り欠き部分４０、第二湾曲部分４１により係合部分４２が形成されるところ、この係合部分４２に係合部１５を上方から挿入することにより、係合することができる（図５（ｂ）参照）。
【００３６】
反射方向を４面とする場合には、１つのレーダーレフレクター用反射板１の係合板１１の長手方向ともう一つのレーダーレフレクター用反射板１の被係合板３１の長手方向とが並行になるようにする。この場合において、係合部１１の平面凸形状の係止片１８が被係合部３１の平面凹形状の被係止片３８に嵌り込み、２つのレーダーレフレクター用反射板１、１を組み合わせて係止・固定することができる。
【００３７】
このように１つのレーダーレフレクター用反射板１ともう一つのレーダーレフレクター用反射板１とを組み合わせて係合させた後、さらに２つのレーダーレフレクター用反射板１、１を同じように順次組み合わせて係合させると、図５（ａ）に示すような平面十文字型であって反射方向が４面となるものが構成できる。
【００３８】
図４に示すように、４つのレーダーレフレクター用反射板１、１を組み合わせて平面十文字状にしたものの上下に、上板２２、下板２３を取り付けて、レーダーレフレクターとすることができる。上板２２、下板２３には、各々のレーダーレフレクター用反射板１、１に配置されている被係合板３１、３１の取付部３７に相当する位置にネジ孔２４、２４が開孔されている。このネジ孔２４、２４に取付ネジ２５、２５を通して、被係合板３１、３１の取付部３７、３７を螺着する（矢印線Ｂ）。これにより、上板２２、下板２３を取り付けることができる。
【００３９】
取付ネジ２５、２５の固定は、ネジ孔２４、２４を通して係合板１１、１１の取付部１７、１７にも螺着することが好ましい。しかし、反射方向が４面の場合、係止片１８と被係止片３８により、複数のレーダーレフレクター用反射板１、１を組み合わせて係合させることができるため、取付部１７、１７への取付ネジ２５、２５の螺着を省略することができる。ただし、図６、図７に示すように、反射方向が５面、６面となる場合、係止片１８が被係止片３８に嵌り合わないため、この係合をさせることができない。その場合には、被係合板３１、３１の取付部３７、３７のみならず、係合板１１、１１の取付部１７、１７にも取付ネジ２５、２５を螺着することが必要である。
【００４０】
次に、図５に示す４面の反射方向のレーダーレフレクター用反射板１、１の組み合わせ、及び、これを変えて、反射方向を５面、６面にする実施例について説明する。図６は５面の場合、図７は６面の場合である。
【００４１】
図５（ａ）、（ｂ）に示すように、レーダーレフレクター用反射板１、１を４つ組み合わせると、平面十文字状になり、４面の反射方向とすることができる。この場合、前述のように係合した係合板１１と被係合板３１とが並行となるように配置されている。また、係合部１５と被係合部３５との係合状態は、平面Ｔ字状の係合部１５が、切り欠き部分４０を通り、平面円形の係合部分４２に入り込み、第二湾曲部分４１の先端が係合板１１の裏面１４に当接している。
【００４２】
ここで、係合板１１と被係合板３１とは直角となるように折曲されているため、レーダーレフレクター用反射板１、１を４つ組合わせたときであっても、その反射部分における角度θ２は、９０度の角度を保持している。これは、図６に示すレーダーレフレクター用反射板１、１を５つ組合わせた平面星型状のものの角度θ４、図７に示すレーダーレフレクター用反射板１、１を６つ組合わせたものの角度θ６についても同様である。
【００４３】
次に、図６（ａ）、（ｂ）に示すように、レーダーレフレクター用反射板１、１を５つ組み合わせると平面星型状になり、５面の反射方向とすることができる。この場合、隣接する係合板１１と被係合板３１とが係合した位置から、係合部分４２に入り込んだ係合部１５を基点として、回動させる。具体的には、係合部分４２で係合した部分を基点として、隣接する係合板１１と被係合板３１との角度θ３を１８度とする。このとき、係合板１１の裏面１４には被係合板３１の第一湾曲部分３９、第二湾曲部分４１のどちらとも当接せず、ほぼ中間の位置にある。
【００４４】
次に、図７（ａ）、（ｂ）に示すように、レーダーレフレクター用反射板１、１を６つ組合わせると、６面の反射方向とすることができる。この場合、図６の場合に比して、係合部１５を基点として、より多く回動させる。具体的には、係合部分で係合した部分を基点として、隣接する係合板１１と被係合板３１との角度θ５を３０度とする。このとき、係合板１１の裏面１４には被係合部３１の第一湾曲部分３９の先端が当接する。
【００４５】
このように、係合部分４２に係合された係合部１５を基点として、係合板１１を回動させることができ、隣接する係合板１１と被係合板３１との角度を自由に調節することができる。
【００４６】
また、被係合部３５の第二湾曲部４２の先端に係合板１１の裏面１４が当接するときは反射方向を４面とする場合であり、第一湾曲部３９の先端に係合板１１の裏面１４が当接するときは反射方向を６面とする場合であり、第一湾曲部３９の先端と第二湾曲部４１の先端とどちらにも当接しない中間的な距離にある場合は反射方向を５面とする場合となる。このように、被接合部３５の第一湾曲部分３９、第二湾曲部分４１の形状により、隣接する係合板１１と被係合板３１との角度を計算することなく、取り付けることができる。
【００４７】
また、図５（ｂ）、図６（ｂ）、図７（ｂ）に示すように、係合板１１の先端１２を湾曲させた湾曲部分１９は、どのような角度で組み合わされても、被係合板３１の第一湾曲部分３９の湾曲方向に沿って、その外側に位置するように形成されている。このため、レーダーレフレクターの完成品とした場合に、各反射板１、１を係合させた部分の先端が面取りされた状態となり、施工者が怪我することなく安全に施工でき、かつ、意匠上優れたものとすることができる。
【符号の説明】
【００４８】
１…レーダーレフレクター用反射板、１１…係合板、１４…裏面、１５…係合部、１７…取付部、１９…湾曲部分、２１…折曲部分、２２…上板、２３…下板、３１…被係合板、３４…裏面、３５…被係合部、３７…取付部、３９…第一湾曲部分、４０…切り欠き部分、４１…第二湾曲部分、４２…係合部分
【図１】
0005449450.tif 000002
【図２】
0005449450.tif 000003
【図３】
0005449450.tif 000004
【図４】
0005449450.tif 000005
【図５】
0005449450.tif 000006
【図６】
0005449450.tif 000007
【図７】
0005449450.tif 000008
【図８】
0005449450.tif 000009
【図９】
0005449450.tif 000010